(57)【要約】【課題】  屋内配線に必要な自由な数の分岐線や、片切スイッチ線や３路スイッチ線を直接取り出すことができ、所要配線の終了後に生じた追加的な回路線の増設も極めて容易に短時間でできる平形被覆電線用端子台の提供。【解決手段】  第１エンド部材１と第２エンド部材２との間に介在させる複数個のコネクタブロック３を、２個又は３個の通電金具５を個別に金具収容室３５に収容させてあるものとし、これらそれぞれの通電金具５の雌雄何れかの通電用突出子５１を一側方に突出させ、他側方に他方の通電用突出子５２を設けてあるものとし、このコネクタブロック３を、必要な任意の数を順次的に連結可能に形成し、ブロック３どうしの連結時に、通電金具５の雌雄の通電用突出子５１、５２どうしも通電可能に接続される構造としたもの。【選択図】      図３
2008159542.tif 000002
【特許請求の範囲】
【請求項１】
合成樹脂素材によって絶縁被覆された屋内配線用平形ケーブルの配線用端子台であって、
互いに対向して配置される第１エンド部材(1)と第２エンド部材(2)と、これらの間に介在させる複数個のコネクタブロック(3)とからなり、
第１エンド部材(1)と第２エンド部材(2)とは、建造物への固定用ねじ穴(10)、(20)を備えた固定板(11)、(21)と、コネクタブロック(3)と対面する絶縁壁(12)、(22)とを備え、
第２エンド部材(2)は、更に第１エンド部材(1)との対向面に、通電金具(5)の雌雄何れか一方の通電用突出子(51)を受け入れる突出子受入部(23)を備え、
コネクタブロック(3)は、それぞれ互いに対向し連結可能に形成された少なくとも第１ハウジング(3a)と第２ハウジング(3b)との二つのハウジングを備え、
第１ハウジング(3a)は、その奥行(d)方向に２個又は３個のロック解除レバー(4)を個々に収容するクランク収容室(34)と、通電金具(5)の雌雄何れか他方の通電用突出子(52)を受け入れる突出子収容室(32)と、該突出子収容室(32)に通じる突出子差込口(33)とを備え、
第２ハウジング(3b)は、該クランク収容室(34)と対向する箇所に、その奥行(d)方向に２個又は３個の通電金具(5)を個々に収容する金具収容室(35)と、該金具収容室(35)のそれぞれに個々に通じるケーブル挿入孔(36)と、雌雄何れか一方の通電用突出子(51)の突出口(37)とを備え、
このようにされたコネクタブロック(3)の任意の複数個が、順次的に連結可能に形成され、該連結時に奥行(d)方向に配設された２個又は３個の通電金具(5)の雌雄の通電用突出子(51)、(52)どうしが通電可能に接続された構造とされている平形被覆電線用端子台。
【請求項２】
合成樹脂素材によって絶縁被覆された屋内配線用平形ケーブルの配線用端子台であって、互いに対向して配置される第１エンド部材(1)と第２エンド部材(2)と、これらの間に介在させる複数個のコネクタブロック(3)とからなり、第１エンド部材(1)と第２エンド部材(2)とは、建造物への固定用ねじ穴(10)、(20)を備えた固定板(11)、(21)と、コネクタブロック(3)と対面する絶縁壁(12)、(22)とを備え、第２エンド部材(2)は、更に第１エンド部材(1)との対向面に、通電金具(5)の雌雄何れか一方の通電用突出子(51)を受け入れる突出子受入部(23)を備え、
コネクタブロック(3)の何れもが、それぞれ互いに対向し連結可能に形成された第１ハウジング(3a)と第２ハウジング(3b)との２つのハウジングを備え、
電源線接続用と負荷線接続用と分岐線接続用との何れにも使用される共通構造とされているコネクタブロック(3)であって、奥行(d)方向の面に開口して配列された２個又は３個のケーブル挿入孔(36)と、奥行(d)方向の内部に互いに隔離されて配列された雌雄の通電用突出子(51)、(52)を有する２個又は３個の通電金具(5)と、これらの各通電金具(5)に個々に組み込まれた電線抜け止めスプリング(6)と、更に、電線引き抜き時の外部操作によって電線抜け止めスプリング(6)に接当して電線抜け止め姿勢を解除する２個又は３個のロック解除レバー(4)とを備えた構造とされている平形被覆電線用端子台。
【請求項３】
合成樹脂素材によって絶縁被覆された屋内配線用平形ケーブルの配線用端子台であって、互いに対向して配置される第１エンド部材(1)と第２エンド部材(2)と、これらの間に介在させる複数個のコネクタブロック(3)とからなり、第１エンド部材(1)と第２エンド部材(2)とは、建造物への固定用ねじ穴(10)、(20)を備えた固定板(11)、(21)と、コネクタブロック(3)と対面する絶縁壁(12)、(22)とを備え、第２エンド部材(2)は、更に第１エンド部材(1)との対向面に、通電金具(5)の雌雄何れか一方の通電用突出子(51)を受け入れる突出子受入部(23)を備え、
コネクタブロック(3)の１つが、それぞれ互いに対向し連結可能に形成された第１ハウジング(3c)と、第２ハウジング(3d)と、第３ハウジング(3e)との３つのハウジングからなる片切スイッチ用の回路を組込んだブロック体であって、
第１ハウジング(3c)は、その奥行(d)方向に２個又は３個のロック解除レバー(4)を個々に収容するクランク収容室(34)と、通電金具(5)の雌雄何れか他方の通電用突出子(52)を受け入れる突出子収容室(32)と、該突出子収容室(32)に通じる突出子差込口(33)とを備え、
第２ハウジング(3d)は、該クランク収容室(34)と対向する箇所に、その奥行(d)方向に少なくとも２個の通電金具(5)を個々に収容する金具収容室(35)と、該金具収容室(35)のそれぞれに個々に通じるケーブル挿入孔(36)と、雌雄何れか一方の通電用突出子(51)の突出口(37)とを備え、
第３ハウジング(3e)は、少なくとも２個の通電金具(5)を個々に収容する金具収容室(35)と、該金具収容室(35)のそれぞれに個々に通じるケーブル挿入孔(36)とを備え、
かつ、第２ハウジング(3d)と第３ハウジング(3e)とにクロス方向に配置された一組の通電金具(5b)、(5a)どうしが互いに通電可能に連通された構造とされている平形被覆電線用端子台。
【請求項４】
合成樹脂素材によって絶縁被覆された屋内配線用平形ケーブルの配線用端子台であって、互いに対向して配置される第１エンド部材(1)と第２エンド部材(2)と、これらの間に介在させる複数個のコネクタブロック(3)とからなり、第１エンド部材(1)と第２エンド部材(2)とは、建造物への固定用ねじ穴(10)、(20)を備えた固定板(11)、(21)と、コネクタブロック(3)と対面する絶縁壁(12)、(22)とを備え、第２エンド部材(2)は、更に第１エンド部材(1)との対向面に、通電金具(5)の雌雄何れか一方の通電用突出子(51)を受け入れる突出子受入部(23)を備え、
コネクタブロック(3)の一つが、それぞれ互いに対向し連結可能に形成されたケーブル挿入孔を備えない第１ハウジング(3f)と、３路スイッチ用の一方のケーブル挿入孔を備えた第２ハウジング(3g)と、３路スイッチ用の他方のケーブル挿入孔を備えた第３ハウジング(3h)と、負荷用のケーブル挿入孔を備えた第４ハウジング(3i)との四つのハウジングからなる３路スイッチ用の回路を組込んだブロック体であって、
第１ハウジング(3f)は、その奥行(d)方向に３個のロック解除レバー(4)を個々に収容するクランク収容室(34)と、通電金具(5)の雌雄何れか他方の通電用突出子(52)を受け入れる突出子収容室(32)と、該突出子収容室(32)に通じる突出子差込口(33)とを備え、
第２ハウジング(3g)と第３ハウジング(3h)とは、それぞれがそれぞれの対向箇所に設けられたクランク収容室(34)と対向する箇所に、その奥行(d)方向に３個の通電金具(5)を個々に収容する金具収容室(35)と、該金具収容室(35)のそれぞれに個々に通じるケーブル挿入孔(36)と、雌雄何れか一方の通電用突出子(51)の突出口(37)とを備え、
第４ハウジング(3i)は、少なくとも２個の通電金具(5)を個々に収容する金具収容室(35)と、該金具収容室(35)のそれぞれに個々に通じるケーブル挿入孔(36)とを備え、
かつ、第３ハウジング(3e)と第４ハウジング(3i)とに配置された第１通電金具(5a)、(5a)どうしが互いに通電可能に連通され、
第２ハウジング(3d)と第３ハウジング(3e)とに配置された第２通電金具(5b)、(5b)どうしと、第３通電金具(5c)、(5c)どうしが互いに通電可能に連通された構造とされている平形被覆電線用端子台。
【発明の詳細な説明】
【技術分野】
【０００１】
本発明は、主として建築物の屋内配線に使用されている平形被覆電線、通常ＶＶＦケーブル又は単にＦケーブルと呼ばれている電線（以下Ｆケーブルという）を使用した屋内配線時の電線どうしの接続や、分岐線の取り出し、必要に応じて行われる片切スイッチ用電線や３路スイッチ用電線の取り出し箇所において使用するための端子台に関するものである。
【背景技術】
【０００２】
現在では、建築物等の屋内配線に際して使用される電線は、Ｆケーブルがその大半を占めるに至っている。その電線どうしの接続や分岐線の取り出しには、特許文献１にみられるような、被覆を剥離した複数の裸電線を絶縁被覆を施した銅スリーブ内に挿通し、先端を閉塞した被覆の外部から加圧して銅スリーブを圧着変形させることによって電線どうしを接続する手段が広く知られている。
【０００３】
また、このような電線どうしを集めて接続するという通電手段に代えて、特許文献２にみられるように、被覆を剥離した裸電線を、抜け止め用スプリングを嵌め込んだ良導体の通電金具の長手方向の両側から差し込んで、電線どうしを接続するようにした電線接続用コネクタも知られていて広く使用されている。
【特許文献１】特開平１１−２２４７００号公報
【特許文献２】特開平９−５５２３９号公報
【発明の開示】
【発明が解決しようとする課題】
【０００４】
しかしながら、従来から知られ実行されているこの種の電線接続手段にあっては、何れの手段のものも、単純に電線どうしを接続するものであって、必要数の分岐線を任意に取り出すことはできないものであった。また、片切スイッチ回路用線や３路スイッチ回路用線を、これらの金具から直接取り出すこともできないという課題を有するものであった。
【０００５】
殊に、従来のこの種の電線接続手段にあっては、一旦所要の配線が終わった後に、追加的に分岐回路用の線や片切スイッチ回路用や３路スイッチ回路用の線を増設することは、実質的に多大な手数と時間を必要とするものであった。
【０００６】
そこで、本発明は、このような従来の電線接続手段が有していたこれらの課題を解決することを目的とし、初期の配線時には必要な自由な数の分岐線や、片切スイッチ回路用線や、３路スイッチ回路用線を直接取り出すことができ、一旦当初の所要の配線が終わった後に生じた追加的な分岐回路線の増設や、片切スイッチ回路用線や３路スイッチ回路用線の増設を、極めて容易に短時間でできるようにした平形被覆電線用端子台を提供しようとするものである。
【課題を解決するための手段】
【０００７】
該目的を達成するために講じた本発明の請求項１に記載の平形被覆電線用端子台に関する第１発明の構成要件を実施例図面に使用した符号を用いて説明すると、合成樹脂素材によって絶縁被覆された屋内配線用平形ケーブルの配線用端子台であって、互いに対向して配置される第１エンド部材１と第２エンド部材２と、これらの間に介在させる複数個のコネクタブロック３とからなり、第１エンド部材１と第２エンド部材２とは、建造物への固定用ねじ穴１０、２０を備えた固定板１１、２１と、コネクタブロック３と対面する絶縁壁１２、２２とを備え、第２エンド部材２は、更に第１エンド部材１との対向面に、通電金具５の雌雄何れか一方の通電用突出子５１を受け入れる突出子受入部２３を備え、コネクタブロック３は、それぞれ互いに対向し連結可能に形成された少なくとも第１ハウジング３ａと第２ハウジング３ｂとの二つのハウジングを備え、第１ハウジング３ａは、その奥行ｄ方向に２個又は３個のロック解除レバー４を個々に収容するクランク収容室３４と、通電金具５の雌雄何れか他方の通電用突出子５２を受け入れる突出子収容室３２と、該突出子収容室３２に通じる突出子差込口３３とを備え、第２ハウジング３ｂは、該クランク収容室３４と対向する箇所に、その奥行ｄ方向に２個又は３個の通電金具５を個々に収容する金具収容室３５と、該金具収容室３５のそれぞれに個々に通じるケーブル挿入孔３６と、雌雄何れか一方の通電用突出子５１の突出口３７とを備え、このようにされたコネクタブロック３の任意の複数個が、順次的に連結可能に形成され、該連結時に奥行ｄ方向に配設された２個又は３個の通電金具５の雌雄の通電用突出子５１、５２どうしが通電可能に接続された構造としたものである。
【０００８】
また、請求項２に記載の第２発明の構成要件は、合成樹脂素材によって絶縁被覆された屋内配線用平形ケーブルの配線用端子台であって、互いに対向して配置される第１エンド部材１と第２エンド部材２と、これらの間に介在させる複数個のコネクタブロック３とからなり、第１エンド部材１と第２エンド部材２とは、建造物への固定用ねじ穴１０、２０を備えた固定板１１、２１と、コネクタブロック３と対面する絶縁壁１２、２２とを備え、第２エンド部材２は、更に第１エンド部材１との対向面に、通電金具５の雌雄何れか一方の通電用突出子５１を受け入れる突出子受入部２３を備え、コネクタブロック３の何れもが、それぞれ互いに対向し連結可能に形成された第１ハウジング３ａと第２ハウジング３ｂとの２つのハウジングを備え、電源線接続用と負荷線接続用と分岐線接続用との何れにも使用される共通構造とされているコネクタブロック３であって、奥行ｄ方向の面に開口して配列された２個又は３個のケーブル挿入孔３６と、奥行ｄ方向の内部に互いに隔離されて配列された雌雄の通電用突出子５１、５２を有する２個又は３個の通電金具５と、これらの各通電金具５に個々に組み込まれた電線抜け止めスプリング６と、更に、電線引き抜き時の外部操作によって電線抜け止めスプリング６に接当して電線抜け止め姿勢を解除する２個又は３個のロック解除レバー４とを備えている構造としたものである。
【０００９】
請求項３に記載の第３発明の構成要件は、合成樹脂素材によって絶縁被覆された屋内配線用平形ケーブルの配線用端子台であって、互いに対向して配置される第１エンド部材１と第２エンド部材２と、これらの間に介在させる複数個のコネクタブロック３とからなり、第１エンド部材１と第２エンド部材２とは、建造物への固定用ねじ穴１０、２０を備えた固定板１１、２１と、コネクタブロック３と対面する絶縁壁１２、２２とを備え、第２エンド部材２は、更に第１エンド部材１との対向面に、通電金具５の雌雄何れか一方の通電用突出子５１を受け入れる突出子受入部２３を備え、コネクタブロック３の１つが、それぞれ互いに対向し連結可能に形成された第１ハウジング３ｃと、第２ハウジング３ｄと、第３ハウジング３ｅとの３つのハウジングからなる片切スイッチ用の回路を組込んだブロック体であって、第１ハウジング３ｃは、その奥行ｄ方向に２個又は３個のロック解除レバー４を個々に収容するクランク収容室３４と、通電金具５の雌雄何れか他方の通電用突出子５２を受け入れる突出子収容室３２と、該突出子収容室３２に通じる突出子差込口３３とを備え、第２ハウジング３ｄは、該クランク収容室３４と対向する箇所に、その奥行ｄ方向に少なくとも２個の通電金具５を個々に収容する金具収容室３５と、該金具収容室３５のそれぞれに個々に通じるケーブル挿入孔３６と、雌雄何れか一方の通電用突出子５１の突出口３７とを備え、第３ハウジング３ｅは、少なくとも２個の通電金具５を個々に収容する金具収容室３５と、該金具収容室３５のそれぞれに個々に通じるケーブル挿入孔３６とを備え、かつ、第２ハウジング３ｄと第３ハウジング３ｅとにクロス方向に配置された一組の通電金具５ｂ、５ａどうしが互いに通電可能に連通されている構造としたものである。
【００１０】
請求項４に記載の第４発明の構成要件は、合成樹脂素材によって絶縁被覆された屋内配線用平形ケーブルの配線用端子台であって、互いに対向して配置される第１エンド部材１と第２エンド部材２と、これらの間に介在させる複数個のコネクタブロック３とからなり、第１エンド部材１と第２エンド部材２とは、建造物への固定用ねじ穴１０、２０を備えた固定板１１、２１と、コネクタブロック３と対面する絶縁壁１２、２２とを備え、第２エンド部材２は、更に第１エンド部材１との対向面に、通電金具５の雌雄何れか一方の通電用突出子５１を受け入れる突出子受入部２３を備え、コネクタブロック３の一つが、それぞれ互いに対向し連結可能に形成されたケーブル挿入孔を備えない第１ハウジング３ｆと、３路スイッチ用の一方のケーブル挿入孔を備えた第２ハウジング３ｇと、３路スイッチ用の他方のケーブル挿入孔を備えた第３ハウジング３ｈと、負荷用のケーブル挿入孔を備えた第４ハウジング３ｉとの四つのハウジングからなる３路スイッチ用の回路を組込んだブロック体であって、第１ハウジング３ｆは、その奥行ｄ方向に３個のロック解除レバー４を個々に収容するクランク収容室３４と、通電金具５の雌雄何れか他方の通電用突出子５２を受け入れる突出子収容室３２と、該突出子収容室３２に通じる突出子差込口３３とを備え、第２ハウジング３ｇと第３ハウジング３ｈとは、それぞれがそれぞれの対向箇所に設けられたクランク収容室３４と対向する箇所に、その奥行ｄ方向に３個の通電金具５を個々に収容する金具収容室３５と、該金具収容室３５のそれぞれに個々に通じるケーブル挿入孔３６と、雌雄何れか一方の通電用突出子５１の突出口３７とを備え、第４ハウジング３ｉは、少なくとも２個の通電金具５を個々に収容する金具収容室３５と、該金具収容室３５のそれぞれに個々に通じるケーブル挿入孔３６とを備え、かつ、第３ハウジング３ｅと第４ハウジング３ｉとに配置された第１通電金具５ａ、５ａどうしが互いに通電可能に連通され、第２ハウジング３ｄと第３ハウジング３ｅとに配置された第２通電金具５ｂ、５ｂどうしと、第３通電金具５ｃ、５ｃどうしが互いに通電可能に連通されている構造としたものである。
【発明の効果】
【００１１】
以上の説明から既に明らかなように、本発明にいうところの平形被覆電線用端子台は、建築物の任意の箇所に固定できるようにした第１エンド部材と第２エンド部材との間に介在させるコネクタブロック体を、これらのエンド部材と連結可能で、ブロック体どうしも相互に連結可能なものとし、これらの連結を相互に差込むという極めて簡易な操作によって、ブロック体どうしの連結とブロック体相互の電気的接続とを同時に行うことができるようにし、必要な任意の数だけ順次的に差込むという操作だけで、屋内配線時に必要な電線どうしの接続や、必要な数の分岐線の取り出しを容易に行うことができるという顕著な効果を期待することが出来るに至ったのである。
【００１２】
また、本発明は、前記のように、第１エンド部材と第２エンド部材との間に、必要な数と、必要な種類のコネクタブロックを差し込む操作によって、同時に電気的接続をも完了することが出来るようにしたものであるから、当初の屋内配線のみならず、後に必要性が生じた増設線を得ることも極めて容易に短時間でできるという効果をも期待することが出来るに至ったのである。
【００１３】
このエンド部材間に介在させるブロック体として、片切スイッチ回路を組込んだブロック体や、３路スイッチ回路を組込んだブロック体を形成し、これらのブロック体をエンド部材や分岐回路線等のブロック体との差し込み操作によって、ブロック体どうしの連結とブロック体相互の電気的接続とを同時に行うことができるようにしたので、片切スイッチ回路や、３路スイッチ回路を極めて容易に得ることができ、広範囲の配線に用いることができるという顕著な効果も期待することが出来るに至ったのである。
【発明を実施するための最良の形態】
【００１４】
本発明は、上記の構成としたものであるから、その実施に当たっては、本発明にいうところの電線接続用又は電線分岐用のブロック体の場合には、電源線及び接続線又は分岐線を挿入する通電金具５を、各ブロック体の結合と同時に結合ブロック体間の電気的接続ができるものとし、片切スイッチ用のブロック体は、片切スイッチ線用のハウジングと片切負荷線用のハウジングとの組み合わせによって片切スイッチ回路を組込んだブロック体とし、３路スイッチ用のブロック体は、一方の３路スイッチ線用ハウジングと、他方の３路スイッチ線用ハウジングと、３路負荷線用ハウジングとの組み合わせによって３路スイッチ用回路を組込んだブロック体としておくことができる。
【００１５】
このようにしておくことによって、必要な任意数の接続線や分岐線やの取り出し、片切スイッチ用線や３路スイッチ用線の取り出しを行うことができる。また、配線工事後の増設工事に当たっても、これら所要のブロック体を所要個数増結することによって、所要の増設線を取り出すことができるので、好都合なばかりではなく、屋内配線作業や屋内線の増設作業の能率を大幅に向上させることができる。
【実施例】
【００１６】
以下本発明の実施例について図面に基づいて説明する。図中、図１乃至図１４は、本発明の第１実施例を示す図であって、図１乃至図３は、電線接続時の電源線及び接続線取り出しブロック体の一組を示す平面図及び正面図とＡ−Ａ線縦断面図、図４乃至図７は、電源用と接続用又は分岐用ブロック体の外観を示す平面図と正面図及び左右の側面図、図８乃至図１１は、ブロック体のハウジング内に組込む部品を示す分解正面図と個々の部品の斜視図、図１２乃至図１４は、ブロック体内のケーブルの未挿入状態とケーブル挿入状態及びケーブルロック解除状態とを示す図３相当部分の縦断面図である。
【００１７】
而して、該第１実施例に示した配線用端子台は、図１３及び図１４に例示したように、合成樹脂素材によって内部被覆ｉｄと外部被覆ｏｄとの内外二重に絶縁被覆された屋内配線用平形ケーブルＦ用の配線用端子台であって、電線どうしの接続に使用される最小単位のブロック数の端子台について示したものである。
【００１８】
この端子台は、図１〜３において左側に配置された第１エンド部材１と右側に配置された第２エンド部材２と、これらの間に介在させる２個のコネクタブロック３、３とで構成されている。これらの各部材１、２及びブロック３、３は、奥行ｄと高さｈを等しく形成してある。このことは、後述する片切スイッチ用ブロックや３路スイッチ用ブロックについても同じである。
【００１９】
この図の左側に配置した第１エンド部材１は、建造物への固定用ねじ穴１０を形成した固定板１１と、隣接して配置される左側コネクタブロック３に面接当する垂直壁１２とを備えている。右側に配置した第２エンド部材２も、建造物への固定用ねじ穴２０を形成した固定板２１と、隣接して配置される右側コネクタブロック３と面接当する垂直壁２２を備えていて、この垂直壁２２は、右側コネクタブロック３から右方向に突出している通電金具５の雄側の通電用突出子５１を受け入れる突出子受入部２３を備えているため広幅に形成してある。
【００２０】
中間の２つのコネクタブロック３、３は、何れも同一構造としたものであって、それぞれが互いに対向して連結可能に形成された第１ハウジング３ａ（左側）と第２ハウジング３ｂ（右側）とで構成されている。
【００２１】
この左側の第１ハウジング３ａは、図３のように、その奥行ｄ方向に３個のロック解除レバー４を個々に収容するための３つのクランク収容室３４と、通電金具５の雌側の通電用突出子５２を受け入れる３つの突出子収容室３２と、該突出子収容室３２のそれぞれから外部に通じる３つの突出子差込口３３とを備えている。
【００２２】
また、右側の第２ハウジング３ｂは、図３のように、これらのクランク収容室３４とそれぞれ対向する箇所に、その奥行ｄ方向に、図１の平面図において上方から第１通電金具、第２通電金具、第３通電金具の３個の同形の通電金具５を個々に収容する３つの金具収容室３５と、該金具収容室３５の上部に、これらの金具収容室３５に個別に通じる３つのケーブル挿入孔３６と、雄側の通電用突出子５１のそれぞれを右方向外側に突出させる３つの突出口３７とを備えた構造としてある。
【００２３】
更に詳しくは、この右側の第２ハウジング３ｂは、図４、５、７に示したように、この右方向外側に突出させた通電用突出子５１のそれぞれを個々に保護するための角筒形の絶縁保護カバー３８を備え、左側の第１ハウジング３ａは、図３、６に示したように、この絶縁保護カバー３８を収容する受入口３１を備えている。
【００２４】
図４乃至図７は、このようにしたコネクタブロック３の単体を示した平面形状と、正面形状、左側及び右側の側面形状を示したものである。また、これらの第１ハウジング３ａと第２ハウジング３ｂとは、図４に示した嵌合爪７１と嵌合穴７２との係合によって連結されるようにしてある。図示は省略したが、この嵌合爪７１と嵌合穴７２とは底面にも形成してある。
【００２５】
而して、この内部に収容される部品は、前記の通りであるが、より詳しくは、図８乃至図１１に示したロック解除レバー４と、通電金具５と、抜け止めスプリング６とからなっている。
【００２６】
ロック解除レバー４は、側面視Ｌ字形部分４１と、その下方に垂下した脚部４２と、電線接当部４３と、脚部４２の側方に突出した回転軸４７と、Ｌ字形部分４１の頂部が姿勢変更操作部４４とされ、Ｌ字形の先端部４５がスプリング押圧部とされ、その背部が図９のように切除されていて電線通過空間４６とされている。
【００２７】
通電金具５は、直立した主壁５３の下部に、横方向の一側に突出した雄側の通電用突出子５１と、この雄側突出子５１を挟持する雌側の通電用突出子５２を他側に有している。また、その主壁５３には、上下２カ所に壁厚方向に切り出された棚５４、５４を備えていて、その側面（図８において右側）と側壁５６との間に形成された隙間５５、５５に、抜け止めスプリング６の縦壁６１を差し込んで固定させるようにしてある。
【００２８】
抜け止めスプリング６は、縦壁６１の上部を折り曲げてその先端部で電線を圧接し逆移動を阻止する抜け止め作用部６２と、下部を折り曲げて上方に移行させた後降下させた電線押圧部６３とを備えたものとしてある。
【００２９】
このような構造とされた電線接続用又は電線分岐用のコネクタブロック３は、図１２に示したように、ロック解除レバー４のＬ字形先端部４５が抜け止めスプリング６の電線抜け止め作用部６２と接当していて、Ｌ字形部分４１の頂部の姿勢変更操作部４４はクランク収容室３４内に位置している。
【００３０】
この状態でケーブル挿入孔３６から平型ケーブルＦの電線Ｃを挿入し、その先端部でロック解除レバー４の下端に突出した電線接当部４３を押圧してロック解除レバー４を図１２から図１３のように右回転させる。この姿勢で電線Ｃは、抜け止めスプリング６の抜け止め作用部６２でその上部を係止され、電線押圧部６３でその下部を押圧されて抜け方向への移動を阻止される。
【００３１】
電線Ｃを引き抜く必要が生じたときは、クランク収容室３４の開口部からドライバ工具のような工具の先端を差し込んで、図１４に示したように、ロック解除レバー４の上端の姿勢変更操作部４４を右回転方向に移行させることによって、同ロック解除レバー４のＬ字形先端部４５で抜け止めスプリング６の電線抜け止め作用部６２を押し付けて電線Ｃから引き離す。この操作によって電線Ｃは抵抗なく容易に引き抜くことができる。
【００３２】
本実施例に示したコネクタブロック３は、２個であるから、その一方を電源側とし、他方を出力側＝負荷側として使用すればよい。このコネクタブロック３を１個継ぎ足して分岐線を取り出すことができ、２個継ぎ足して２回線の分岐線を取り出すこともできる。このようにしてコネクタブロック３を継ぎ足すことによって、配線当初に必要な数の分岐線を形成することができる。配線後に分岐線を増設することが必要になった場合には、左側に配置してある第１エンド部材１か、右側に配置してある第２エンド部材２かの何れかを取り外し、新たなコネクタブロック３を継ぎ足すという操作だけで分岐線を増設することができる。
【００３３】
この第１実施例に示した電線接続用のブロック体、又はこれに電線分岐用のブロックを継ぎ足したブロック体に、次に説明する片切スイッチ用の回路を組込んだブロック体や３路スイッチ用の回路を組込んだブロック体を継ぎ足して、片切スイッチ用の回路や３路スイッチ用の回路を形成することもできる。
【００３４】
図１５乃至図２３は、コネクタブロック３の第２実施例を示したもので、このコネクタブロック３は、片切スイッチ用の回路を組込んだブロック体を示したものである。このコネクタブロック３は、これらの各図にみられるように、第１ハウジング３ｃと、第２ハウジング３ｄと、第３ハウジング３ｅとの３つのハウジングからなっていて、第２ハウジング３ｄには、２本の片切スイッチ用の線を引き出すための２つのケーブル挿入口３６が形成され、第３ハウジング３ｅには、負荷側の２本の線とアース線を引き出すための３つのケーブル挿入口３６が形成されている。
【００３５】
これらのハウジング３ｃ、３ｄ、３ｅに組み込まれている部材は、前記第１実施例に示した電線接続用のブロック体と同様に、ロック解除レバー４と、通電金具５と、電線抜け止めスプリング６とであって、それぞれの電気的接続は、図１７乃至図１９に示した通りである。即ち、図１７は、図１５に示したＢ−Ｂ線で切断した同図１５の上部に配置された第１通電金具（便宜上、上部の通電金具５を第１通電金具、中間部分のものを第２通電金具、下部のものを第３通電金具という）５の部分で切断した断面図であり、図１８は、Ｃ−Ｃ線に沿った断面図、図１９は、Ｄ−Ｄ線に沿った断面図である。
【００３６】
而して、該実施例に示した片切スイッチ回路用のブロック体３に内装した通電金具５は、第２ハウジング３ｄの奥行方向ｄの中間部に設けた通電金具、即ち、第２通電金具５ｂと第３ハウジング３ｅの奥側（図１５の上側）に設けた通電金具、即ち、第１通電金具５ａとを、図２０及び図２１に示したように、平面視においてＬ字形に折曲った連通金具５０によって一体的に形成されている構造としたものである。このようにした特殊な金具を用いることによって、第２ハウジング３ｄの第２通電金具５ｂと第３ハウジング３ｅの第１通電金具５ａとをハウジング内で連通するように形成したものである。言うまでもなく、これらの通電金具５ｂ、５ａどうしは一体成形品とすることなく、前記第１実施例に示した通電金具５のように、一方に雌雄の何れかの突出体を形成し、他方に雌雄の他方の突出体を形成してあるものとすることによって、第２ハウジング３ｄと第３ハウジング３ｅとの連結時にこれらの突出体どうしを連結する構造として電気的な連通を自動的に行えるようにしてもよい。
【００３７】
このような構造とした３路スイッチ回路用のコネクタブロック３を前記第１実施例において示した電源用又は負荷用若しくは分岐用としたブロック３の１個と連結して３路スイッチ回路を形成した場合の回路図を図３５乃至図３７として示した。同図３５は結線図の模式図、図３６は結線図の線図、図３７は結線図のブロック図である。
【００３８】
また、該３路スイッチ回路用ブロック３を、第１実施例の２個の電源用ブロック体３、３と連結した場合の一形態の回路図を図３８乃至図４０に示した。該図３８乃至図４０に示した図は何れも図３５乃至図３７と同じく、模式図、線図、ブロック図である。この回路図のブロック図では、３路スイッチ回路用ブロック３を挟んでその前後に、電源・分岐用ブロック体３を接続した場合の構造としたものである。この連結形態のように、３路スイッチブロック体３を２個の電源・分岐用ブロック体３の間に挟み込む必要はなく、電源・分岐用ブロック体３を複数個連結した複数連結体の一端に連結して使用してもよい。
【００３９】
図２８乃至図３２は、コネクタブロック３の第３実施例を示したもので、このコネクタブロック３は、３路スイッチ用の回路を組込んだブロック体を示したものである。このコネクタブロック３は、図２８乃至図３２の各図にみられるように、第１ハウジング３ｆと、第２ハウジング３ｇと、第３ハウジング３ｈと、第４ハウジング３ｉとの４個のハウジングからなっている。そして、第２ハウジング３ｇと、第３ハウジング３ｈとには、３路スイッチＡ側の３本の線と、３路スイッチＢ側の３本の線とを引き出す３つづつのケーブル挿入口３６が形成され、第４ハウジング３ｉには、負荷側の３本の線を引き出すための３つのケーブル挿入口３６が形成されている。
【００４０】
これらのハウジング３ｆ、３ｇ、３ｈ、３ｉに組み込まれている部材も、前記第１実施例に示した電線接続用のブロック体と同様に、ロック解除レバー４と、通電金具５と、電線抜け止めスプリング６とであって、それぞれの電気的接続は、図２８のＥ−Ｅ線、Ｆ−Ｆ線及びＧ−Ｇ線に沿って切断した断面形状として図３０乃至図３２に示した通りである。
【００４１】
而して、この３路スイッチ用の回路を組込んだブロック３は、第２ハウジング３ｇと、第３ハウジング３ｈと、第４ハウジング３ｉとの何れにも第１通電金具（図２８の上側、図３０）と、第２通電金具（図２８の中央、図３１）と、第３通電金具（図２８の下側、図３２）とのそれぞれ３個の通電金具５を収納させてある。
【００４２】
これらの各金具の内、第３ハウジング３ｈと第４ハウジング３ｉとに収容された第１通電金具５ａ、５ａと、第２ハウジング３ｇと第３ハウジング３ｈとに収容された第２通電金具５ｂ、５ｂと、同じく第２ハウジング３ｇと第３ハウジング３ｈとに収容された第３通電金具５ｃ、５ｃとは、図３３及び図３４に平面図と正面図とを示したように、平面視においても正面視においても直線状に形成した連通金具５００部分によって連結されて一体化されている構造としたものである。このような２金具一体型の特殊な金具５００部分を用いることによって、それぞれの相隣り合う金具どうしの通電をハウジング内で行うことができるようにしてある。しかしながら、この２体一連に形成した通電金具にあっても、互いに嵌合しあう雌雄の通電用突出部を形成してある形状として、ハウジングどうしの連結時に、同時に通電連結し得るように形成してもよい。
【００４３】
このような構造とした２体一連の通電金具は、図３０乃至図３２に示したように、それぞれ隣り合うハウジング内に連通金具５００部分を介して、２つの通電金具５ａ，５ａ、５ｂ，５ｂ、５ｃ，５ｃどうしが配置されている。このような構造とすることによって、図２８にみられるように、第２ハウジング３ｇの３つのケーブル挿入口０、１、３からは３路スイッチＡ側の３本の線が、第３ハウジング３ｈの３つのケーブル挿入口０、１、３からは３路スイッチＢ側の３本の線が、また、第４ハウジング３ｉの第１と第２との２つのケーブル挿入口Ｌ、Ｎからは３路負荷線が引き出せるようになっている。なお、第４ハウジング３ｉの第３のケーブル挿入口Ｅからはアース線を接続できるようになっている。
【００４４】
また、図３０に示した第２ハウジング３ｇに内挿した通電金具５は、一方（図において右側）の雄側通電用突出子５１が第３、第４ハウジング３ｈ、３ｉを通って外方に突出する長尺に形成してある。これとは逆に、図３１に示した第４ハウジング３ｉに内挿した通電金具５は、他方（図において左側）の雌側通電用突出子５２が第２、第３ハウジング３ｇ、３ｈを通って第１ハウジング３ｆ内に位置するように長尺に形成してある。また、第４ハウジング３ｉに配置した通電金具５も同様の長尺とした雌側通電突出子５２を備えているものとしてある。
【００４５】
以上に説明した片切スイッチ用回路を組込んだブロック体３や、３路スイッチ用回路を組込んだブロック体３も、前記第１実施例に示した電線接続用や電線分岐用のブロック体の場合と同様に、１つのブロック組合せ体に、２個以上の任意数を組合せて連結し、２回路以上の片切りスイッチ用回路や３路スイッチ用回路を形成して実施してもよい。このようにしたスイッチ回路は、当初の配線時にでも、増設配線時にでも、電線接続用のブロック体と連結することによって得ることができるのである。
【００４６】
以上本発明の代表的と思われる実施例について説明したが、本発明は必ずしもこれらの実施例に示した構造のみに限定されるものではなく、本発明にいうところの前記の構成要件を備え、かつ、本発明にいう目的を達成し、前記の効果を有する範囲内において適宜改変して実施することができるものである。
【産業上の利用可能性】
【００４７】
本発明いうところの平型被覆電線用の端子台は、前記のように、コネクタブロックを必要個数相互に差込み連結するだけで、屋内配線に必要な数の分岐線や、片切スイッチ線・３路スイッチ線等も得ることができるので、当初の屋内配線のみならず、増設線を得ることも極めて容易にできるため、配線業者間で大いに利用され、社会に貢献する可能性が大なるものである。
【図面の簡単な説明】
【００４８】
【図１】第１実施例の端子台を示した平面図。
【図２】図１の正面図。
【図３】図１中のＡ−Ａ線に沿った断面図。
【図４】コネクタブロック単体の平面図。
【図５】図４の正面図。
【図６】図４の左側面図。
【図７】図４の右側面図。
【図８】収容部品の分解正面図。
【図９】ロック解除レバーの斜視図。
【図１０】通電金具の斜視図。
【図１１】抜け止めスプリングの斜視図。
【図１２】ケーブル未挿入時の状態を示す断面図。
【図１３】ケーブル挿入時の状態を示す断面図。
【図１４】ケーブルロック解除時の状態を示す断面図。
【図１５】片切スイッチブロックの平面図。
【図１６】片切スイッチブロックの正面図。
【図１７】片切スイッチブロックのＬ側を示すＢ−Ｂ線断面図。
【図１８】片切スイッチブロックのＮ側を示すＣ−Ｃ線断面図。
【図１９】片切スイッチブロックのＥ側を示すＤ−Ｄ線断面図。
【図２０】片切スイッチブロック用変形金具を示す平面図。
【図２１】図２０の金具を示す正面図。
【図２２】片切スイッチ回路の連結例を示す模式図。
【図２３】同回路の線図。
【図２４】同回路のブロック図。
【図２５】片切スイッチ回路の他の連結例を示す模式図。
【図２６】同回路の線図。
【図２７】同回路のブロック図。
【図２８】３路スイッチブロックの平面図。
【図２９】３路スイッチブロックの正面図。
【図３０】３路スイッチブロックのＬ側を示すＥ−Ｅ線断面図。
【図３１】３路スイッチブロックのＮ側を示すＦ−Ｆ線断面図。
【図３２】３路スイッチブロックのＥ側を示すＧ−Ｇ線断面図。
【図３３】３路スイッチブロック用変形金具を示す平面図。
【図３４】図３３の金具を示す正面図。
【図３５】３路スイッチ回路の連結例を示す模式図。
【図３６】同回路の線図。
【図３７】同回路のブロック図。
【図３８】３路スイッチ回路の他の連結例を示す模式図。
【図３９】同回路の線図。
【図４０】同回路のブロック図。
【符号の説明】
【００４９】
１  第１エンド部材
１０  固定用ねじ穴
１１  固定板
１２  絶縁壁
２  第２エンド部材
２０  固定用ねじ穴
２１  固定板
２２  絶縁壁
２３  突出子受入部
３  コネクタブロック
３ａ  第１ハウジング
３ｂ  第２ハウジング
３ｃ  片切用第１ハウジング
３ｄ  片切用第２ハウジング
３ｅ  片切用第３ハウジング
３ｆ  ３路用第１ハウジング
３ｇ  ３路用第２ハウジング
３ｈ  ３路用第３ハウジング
３ｉ  ３路用第４ハウジング
３１  受入口
３２  突出子収容室
３３  突出子差込口
３４  クランク収容室
３５  金具収容室
３６  ケーブル挿入孔
３７  突出口
４  ロック解除レバー
５  通電金具
５１  通電用突出子（雄側）
５２  通電用突出子（雌側）
６  抜け止めスプリング
【図１】
2008159542.tif 000003
【図２】
2008159542.tif 000004
【図３】
2008159542.tif 000005
【図４】
2008159542.tif 000006
【図５】
2008159542.tif 000007
【図６】
2008159542.tif 000008
【図７】
2008159542.tif 000009
【図８】
2008159542.tif 000010
【図９】
2008159542.tif 000011
【図１０】
2008159542.tif 000012
【図１１】
2008159542.tif 000013
【図１２】
2008159542.tif 000014
【図１３】
2008159542.tif 000015
【図１４】
2008159542.tif 000016
【図１５】
2008159542.tif 000017
【図１６】
2008159542.tif 000018
【図１７】
2008159542.tif 000019
【図１８】
2008159542.tif 000020
【図１９】
2008159542.tif 000021
【図２０】
2008159542.tif 000022
【図２１】
2008159542.tif 000023
【図２２】
2008159542.tif 000024
【図２３】
2008159542.tif 000025
【図２４】
2008159542.tif 000026
【図２５】
2008159542.tif 000027
【図２６】
2008159542.tif 000028
【図２７】
2008159542.tif 000029
【図２８】
2008159542.tif 000030
【図２９】
2008159542.tif 000031
【図３０】
2008159542.tif 000032
【図３１】
2008159542.tif 000033
【図３２】
2008159542.tif 000034
【図３３】
2008159542.tif 000035
【図３４】
2008159542.tif 000036
【図３５】
2008159542.tif 000037
【図３６】
2008159542.tif 000038
【図３７】
2008159542.tif 000039
【図３８】
2008159542.tif 000040
【図３９】
2008159542.tif 000041
【図４０】
2008159542.tif 000042